【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
静磁場に配置された物体の、物体層に直交する空間的次元における有限の寸法を持つ物体層に沿ったスピン密度分布を有する前記物体の三次元の画像化のため磁気共鳴データを収集する方法であって、
（ａ）前記物体を含む物体空間を励起する、少なくとも一の空間非選択的な高周波パルスを前記物体に印加するステップを含み、更に
（ｂ）前記物体層に直交する空間的次元内の視野における前記磁気共鳴信号の位相を異なる符号化法で符号化する空間的符号化位相コントラスト傾斜の二つの設定を含む、空間的符号化磁気共鳴信号を生成するための磁場傾斜を前記物体に印加するステップと、
（ｃ）磁気共鳴信号を、それぞれ異なる空間的符号化位相コントラスト傾斜の前記二つの設定の一を用いて、それぞれ取得するステップであって、
前記物体空間における投影面上に前記物体の投影を表す二つの二次元磁気共鳴画像を、前記投影面に直交する前記空間次元に沿った空間的符号化位相コントラスト傾斜の前記異なる設定を用いて取得するステップと、
（ｄ）前記二つの二次元磁気共鳴画像間の位相差を計算することにより、前記空間的次元に沿った前記物体の少なくとも一の平均スピン密度位置を決定し、前記物体の三次元画像を再構築するステップと、
を含んでなることを特徴とする方法。
【請求項２】
請求項１に記載の方法であって、
前記所定の空間的次元内の前記視野に沿った前記設定の二つの異なる空間的符号化位相コントラスト傾斜は、
強度Ｇ＝０であるゼロ傾斜、及び強度Ｇ＞０である単極傾斜の設定、又は
強度Ｇ＞０かつ反対の極性である二つの単極傾斜の設定、又は
強度Ｇ1＞０，Ｇ2＞０かつＧ1≠Ｇ2での二つの単極傾斜の設定、又は
強度Ｇ＝０であるゼロ傾斜、及び空間的符号化定常スピンに対しては０次オーダー傾斜モーメント＞０であり一定の速度で移動するスピンに対しては１次オーダー傾斜モーメント＝０である非対称双極傾斜の設定を含んでなることを特徴とする方法。
【請求項３】
請求項１又は２に記載の方法であって、
前記異なる空間的符号化位相コントラスト傾斜は、
前記高周波パルス及び磁場傾斜の反復間隔の直ぐ前後の連続する反復間隔毎に、又は
前記高周波パルス及び磁場傾斜を用いた連続する画像取得毎に
連続的に交互に設定されてなることを特徴とする方法。
【請求項４】
請求項１〜３のいずれか一に記載の方法であって、
前記高周波パルス及び磁場傾斜がデカルト空間的周波数・位相符号化、放射状符号化、螺旋状符号化、又は他の非デカルト空間的符号化に適合されてなることを特徴とする方法。
【請求項５】
請求項１〜４のいずれか一に記載の方法であって、
前記高周波パルス及び磁場傾斜は、低フリップ角傾斜エコーＭＲＩシーケンス、スピンエコーＭＲＩシーケンス、励起エコーＭＲＩシーケンス又はエコープラナー画像化シーケンスを含んでなることを特徴とする方法。
【請求項６】
請求項５に記載の方法であって、
前記低フリップ角傾斜エコーＭＲＩ（ＦＬＡＳＨ）シーケンスは、アンダーサンプリング放射状ＦＬＡＳＨシーケンスを含んでなることを特徴とする方法。
【請求項７】
静磁場内に配置された物体の、物体線に直交する空間的次元において有限の寸法を持つ前記物体線に沿ったスピン密度分布、又は所定の寸法を持つ物体スポットにおいて集中するスピン密度分布を用いて、前記物体の三次元画像化用の磁気共鳴データを収集する方法であって、
（ａ）前記物体を含む物体空間を励起する、少なくとも一の空間非選択的な高周波パルスを前記物体に印加するステップを含み、更に
（ｂ）空間的符号化磁気共鳴信号を生成するための磁場傾斜を、前記物体に印加するステップであって、
前記磁場傾斜には、周波数符号化傾斜に直交する二つの所定の空間的次元の二つの視野に沿った空間的符号化位相コントラスト傾斜の三つの異なる設定を含む、物体空間の投影軸に沿って配向する前記周波数符号化傾斜が含まれ、
（ｃ）前記投影軸上の前記物体の三つの投影を表す三つの周波数符号化磁気共鳴信号を、空間的符号化位相コントラスト傾斜の前記三つの異なる設定を用いて、取得するステップと、
（ｄ）前記三つの投影間の二つの位相差を算出することにより、前記投影軸に直交する前記二つの空間的次元に沿った、前記物体の少なくとも二つの平均スピン密度位置を決定し、前記物体の三次元画像を再構成するステップと、
を含んでなることを特徴とする方法。
【請求項８】
請求項７に記載の方法であって、
前記設定の少なくとも三つの異なる空間的符号化位相コントラスト傾斜は、
強度Ｇ＝０である一のゼロ傾斜の設定と、
強度Ｇ＞０で前記二つの所定の空間的次元の前記二つの視野に沿って生成される二つの傾斜の設定と、
を含んでなることを特徴とする方法。
【請求項９】
請求項１〜８のいずれか一に記載の方法であって、
前記ステップ（ａ）〜（ｄ）は、前記物体の動的画像化を可能にするような時間分解能の繰返速度で繰り返されてなることを特徴とする方法。
【請求項１０】
磁気共鳴画像化（ＭＲＩ）装置の静磁場に配置された物体の、物体層に直交する空間的次元における有限の寸法を持つ物体層に沿ったスピン密度分布を有する前記物体の三次元の画像化のため磁気共鳴データを収集するＭＲＩ装置制御するよう構成された制御装置であって、
前記物体を含む物体空間を励起する少なくとも一の空間非選択的な高周波励起パルスと、空間的符号化磁気共鳴信号を生成する磁場傾斜とを前記物体に印加するＭＲＩ装置の高周波、及び傾斜磁場コイルを制御するよう構成されたパルス・傾斜制御装置であって、
前記物体層に直交する空間的次元内の視野における前記磁気共鳴信号の位相を異なる符号化法で符号化する空間的符号化位相コントラスト傾斜の二つの設定に適合させた位相コントラスト傾斜設定装置を備えたパルス・傾斜制御装置と、
物体空間における投影面上に物体の投影を表す二つの二次元磁気共鳴画像を前記投影面に直交する前記空間次元に沿った空間的符号化位相コントラスト傾斜の異なる設定を用いて、取得するように適合された信号取得装置と、
前記二つの二次元磁気共鳴画像の位相差を計算することにより、前記空間的次元に沿った前記物体の少なくとも一の平均スピン密度位置を決定し、前記物体の三次元画像を再構成するように適合された計算装置と、
を備えることを特徴とする制御装置。
【請求項１１】
請求項１０に記載の制御装置であって、
前記位相コントラスト傾斜設定装置は、
強度Ｇ＝０であるゼロ傾斜、及び強度Ｇ＞０である単極傾斜の設定、又は
強度Ｇ＞０かつ反対の極性である二つの単極傾斜の設定、又は
強度Ｇ1＞０，Ｇ2＞０かつＧ1≠Ｇ2での二つの単極傾斜の設定、又は
強度Ｇ＝０であるゼロ傾斜、及び空間的符号化定常スピンに対しては０次オーダー傾斜モーメント＞０であり一定の速度で移動するスピンに対しては１次オーダー傾斜モーメント＝０である非対称双極傾斜の設定のために構成されてなることを特徴とする制御装置。
【請求項１２】
請求項１０又は１１に記載の制御装置であって、
前記パルス・傾斜制御装置は異なる空間的符号化位相コントラスト傾斜を
前記高周波パルス及び磁場傾斜の反復間隔の直ぐ前後の連続する反復間隔毎に、又は
前記高周波パルス及び磁場傾斜を用いた連続する画像取得毎に
連続的に交互に設定するよう構成されてなることを特徴とする制御装置。
【請求項１３】
請求項１０〜１２のいずれか一に記載の制御装置であって、
前記パルス・傾斜制御装置がデカルト空間的周波数・位相符号化、放射状符号化、螺旋状符号化、又は他の非デカルト空間的符号化に適合されてなることを特徴とする制御装置。
【請求項１４】
請求項１０〜１３のいずれか一に記載の制御装置であって、
前記パルス・傾斜制御装置は、低フリップ角傾斜エコーＭＲＩシーケンス、スピンエコーＭＲＩシーケンス、励起エコーＭＲＩシーケンス又はエコープラナー画像化シーケンスを生成するよう構成されてなることを特徴とする制御装置。
【請求項１５】
請求項１４に記載の制御装置であって、
前記低フリップ角傾斜エコーＭＲＩ（ＦＬＡＳＨ）シーケンスは、アンダーサンプリング放射状ＦＬＡＳＨシーケンスを含んでなることを特徴とする制御装置。
【請求項１６】
静磁場内に配置された物体の、物体線に直交する空間的次元において有限の寸法を持つ物体線に沿ったスピン密度分布、又は所定の寸法を有する物体スポットに集中するスピン密度分布を有する前記物体を三次元の画像化する磁気共鳴データを収集するＭＲＩ装置を制御するよう構成された制御装置であって、
前記物体を含む物体空間を励起する少なくとも一つの空間非選択的な高周波励起パルスと、物体空間の投影軸に沿って配向される周波数符号化傾斜を生成する磁場傾斜とを前記物体に印加するＭＲＩ装置の高周波及び傾斜コイルを制御するよう構成されたパルス・傾斜制御装置であって、
前記周波数符号化傾斜に直交する二つの所定の空間的次元の二つの視野に沿った空間的符号化位相コントラスト傾斜の三つの異なる設定に適合された位相コントラスト傾斜設定装置を備える前記パルス・傾斜制御装置と、
空間的符号化位相コントラスト傾斜の前記三つの異なる設定を用いて、前記投影軸上の前記物体の三つの投影を表す三つの周波数符号化磁気共鳴信号を取得するよう構成された信号取得装置と、、
前記三つの投影の二つの位相差を算出することにより、投影軸に直交する前記二つの空間的次元に沿った前記物体の少なくとも二つの平均スピン密度位置を決定し、前記物体の三次元画像を再構成するよう構成された計算装置と、
を備えたことを特徴とする制御装置。
【請求項１７】
請求項１６に記載の制御装置であって、
前記位相コントラスト傾斜設定装置は、
強度Ｇ＝０である一のゼロ傾斜の設定と、
強度Ｇ＞０で前記二つの所定の空間的次元の前記二つの視野に沿って生成される二つの傾斜の設定と、のために構成されてなることを特徴とする制御装置。
【請求項１８】
請求項１０〜１７のいずれか一に記載の制御装置であって、
前記パルス・傾斜制御装置及び前記信号取得装置は、前記物体の動的画像化を可能にするような時間分解能の繰返速度で繰り返し動作するよう構成されてなることを特徴とする制御装置。
【請求項１９】
磁気共鳴走査器と、
前記磁気共鳴走査器と接続される請求項１０〜１８のいずれか一に記載の制御装置とを備えてなることを特徴とするＭＲＩ装置。